(57)【要約】【課題】扉を開く際に扉が設定された位置にきたときに、ストッパ片を床面より確実に突出させて戸当たり本体側に当接させ、それ以上の開扉を阻止するようにすることができるとともに、戸当たり本体に金属片が吸着されることがない戸当たりを提供すること。【解決手段】床面に固定する、ストッパ片１１を揺動可能に配設した係止具本体１と、扉側に固定する、ストッパ片１１の受け部２１を設けた戸当たり本体２とからなり、扉を開く際に扉が設定された位置にきたときに、ストッパ片１１を床面より突出させて戸当たり本体２側に当接させ、それ以上の開扉を阻止するように構成するとともに、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設ける。【選択図】図１
2014152562.tif 000002
【特許請求の範囲】
【請求項１】
床面に固定する、ストッパ片を揺動可能に配設した係止具本体と、扉側に固定する、前記ストッパ片の受け部を設けた戸当たり本体とからなり、扉を開く際に扉が設定された位置にきたときに、ストッパ片を床面より突出させて戸当たり本体側に当接させ、それ以上の開扉を阻止するように構成した戸当たりにおいて、戸当たり本体に、扉を開く際に扉が設定された位置にきたときに、ストッパ片の先端を掬い上げて、床面より突出させて戸当たり本体の受け部に当接させるように導く掬い上げ部を設けたことを特徴とする戸当たり。
【請求項２】
ストッパ片に、係止部を形成するとともに、戸当たり本体に、前記ストッパ片に形成した係止部に係合する係止片を可動に設けたことを特徴とする請求項１記載の戸当たり。
【請求項３】
床面に固定した係止具本体のストッパ片の先端の高さ位置及び／又は戸当たり本体の掬い上げ部の高さ位置を調節可能にする高さ調節機構を配設したことを特徴とする戸当たり。
【発明の詳細な説明】
【技術分野】
【０００１】
本発明は、床面のバリアフリー化を図るため床面からの突出高さを可及的に低くし、かつフック掛けなどの面倒な操作をなくして確実に定位置で扉を停止させ、開扉状態を保持し、さらに、あおりを防止することができるようにした戸当たりに関するものである。
【背景技術】
【０００２】
この種の戸当たりとして、従来、扉側に固定し、磁石を配設した戸当たり本体と、床面に固定し、床面より突出するようにストッパ片を揺動可能に配設した係止具本体とからなり、扉を開く際に扉が設定された位置にきたときに、磁石の励磁吸着作用によりストッパ片を床面より突出させて戸当たり本体側に当接させ、それ以上の開扉を阻止するようにするとともに、ストッパ片に形成した係止部に戸当たり本体に設けた係止片を係合させることにより、開扉状態を保持し、あおりを防止することができるようにしたものが汎用されている。
【先行技術文献】
【特許文献】
【０００３】
【特許文献１】特許第３５５３８１８号公報
【特許文献２】特許第３９３９１６３号公報
【０００４】
ところで、上記従来の戸当たりは、戸当たり本体に配設した磁石の励磁吸着作用によりストッパ片を床面より突出させて戸当たり本体側に当接させるようにしているため、扉を開く速度が極めて速い場合には、ストッパ片が床面より突出する前に戸当たり本体がストッパ片の上を通過してしまい、戸当たりの所期の目的を達成できないという問題があった。
また、戸当たり本体に配設した磁石に他の金属片が吸着され、それを知らずに扉を開閉操作した場合に、床面に傷が付くという問題があった。
【発明の概要】
【発明が解決しようとする課題】
【０００５】
本発明は、上記従来の戸当たりの有する問題点に鑑み、扉を開く際に扉が設定された位置にきたときに、ストッパ片を床面より確実に突出させて戸当たり本体側に当接させ、それ以上の開扉を阻止するようにすることができるとともに、戸当たり本体に金属片が吸着されることがない戸当たりを提供することを目的とする。
【課題を解決するための手段】
【０００６】
上記目的を達成するため、本発明の戸当たりは、床面に固定する、ストッパ片を揺動可能に配設した係止具本体と、扉側に固定する、前記ストッパ片の受け部を設けた戸当たり本体とからなり、扉を開く際に扉が設定された位置にきたときに、ストッパ片を床面より突出させて戸当たり本体側に当接させ、それ以上の開扉を阻止するように構成した戸当たりにおいて、戸当たり本体に、扉を開く際に扉が設定された位置にきたときに、ストッパ片の先端を掬い上げて、床面より突出させて戸当たり本体の受け部に当接させるように導く掬い上げ部を設けたことを特徴とする。
【０００７】
この場合において、ストッパ片に、係止部を形成するとともに、戸当たり本体に、前記ストッパ片に形成した係止部に係合する係止片を可動に設けることができる。
【０００８】
また、床面に固定した係止具本体のストッパ片の先端の高さ位置及び／又は戸当たり本体の掬い上げ部の高さ位置を調節可能にする高さ調節機構を配設することができる。
【発明の効果】
【０００９】
本発明の戸当たりによれば、戸当たり本体に、扉を開く際に扉が設定された位置にきたときに、ストッパ片の先端を掬い上げて、床面より突出させて戸当たり本体の受け部に当接させるように導く掬い上げ部を設けるようにすることにより、扉を開く速度が極めて速い場合でも、扉を開く際に扉が設定された位置にきたときに、掬い上げ部によりストッパ片を床面より機械的に掬い上げることによって、戸当たり本体がストッパ片の上をそのまま通過することを防止し、ストッパ片を確実に突出させて戸当たり本体の受け部に当接させ、それ以上の開扉を阻止するようにすることができる。
また、従来の戸当たりのように戸当たり本体に磁石が配設されていないため、戸当たり本体に他の金属片が吸着されることがなく、扉の開閉操作によって床面に傷が付くという問題をなくすことができる。
【００１０】
また、ストッパ片に、係止部を形成するとともに、戸当たり本体に、前記ストッパ片に形成した係止部に係合する係止片を可動に設けることにより、係止片をストッパ片の係止部に係合することによって戸当たり本体をストッパ片に固定することができ、扉の開扉状態を保持し、あおりを防止することができる。
【００１１】
また、床面に固定した係止具本体のストッパ片の先端の高さ位置及び／又は戸当たり本体の掬い上げ部の高さ位置を調節可能にする高さ調節機構を配設することにより、取付誤差や経年変化によるストッパ片の先端の高さ位置や戸当たり本体の掬い上げ部の高さ位置の変化を簡易に調節して、扉を開く際に扉が設定された位置にきたときに、掬い上げ部によりストッパ片を床面より機械的に掬い上げることによって確実に突出させて戸当たり本体側に当接させ、それ以上の開扉を阻止するようにすることができる。
【図面の簡単な説明】
【００１２】
【図１】本発明の戸当たりの第１実施例を示す断面図である。
【図２】同ストッパ片の変形実施例を示し、（ａ）は平面図、（ｂ１）は側面図、（ｂ２）はストッパ片の先端の高さ位置を上げた状態を示す側面図である。
【図３】本発明の戸当たりの第２実施例を示し、（ａ１）は側面断面図、（ｂ１）は正面断面図、（ａ２）は係止片をストッパ片の係止部に係合した状態を示す側面断面図、（ｂ２）は同正面断面図である。
【図４】同戸当たり本体を示す分解図である。
【発明を実施するための形態】
【００１３】
以下、本発明の戸当たりの実施の形態を、図面に基づいて説明する。
【実施例１】
【００１４】
図１に、本発明の戸当たりの第１実施例を示す。
この戸当たりは、床面に固定する、ストッパ片１１を揺動可能に配設した係止具本体１と、扉側に固定する、ストッパ片１１の受け部２１を設けた戸当たり本体２とからなり、扉を開く際に扉が設定された位置にきたときに、ストッパ片１１を床面より突出させて戸当たり本体２側に当接させ、それ以上の開扉を阻止するように構成するとともに、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにしている。
【００１５】
そして、ストッパ片１１に、係止部１１ａを形成するとともに、戸当たり本体２に、ストッパ片１１に形成した係止部１１ａに係合する係止片２２を可動に設けるようにしている。
これにより、係止片２２をストッパ片１１の係止部１１ａに係合することによって戸当たり本体２をストッパ片１１に固定することができ、扉の開扉状態を保持し、あおりを防止することができる。
本実施例において、係止部１１ａは、ストッパ片１１に形成した貫通孔で構成し、この係止部１１ａに、戸当たり本体２に摺動部２２ａを介して可動に設けた係止片２２を、操作部２２ｂを操作することによって挿入することで係合するようにしている。
なお、係止部１１ａ及び係止片２２の形態は、これに限定されず、係合形態をとれる任意の形態を採用することができる。
【００１６】
本実施例において、扉を開く際に扉が設定された位置にきたときに、ストッパ片１１の先端を掬い上げて、床面より突出させて戸当たり本体２の受け部２１に当接させるように導く掬い上げ部２１ａは、受け部２１と一体に形成するとともに、受け部２１を戸当たり本体２に高さ調節機構としてのねじ機構２３を介して配設することによって、受け部２１及び掬い上げ部２１ａの高さ位置を調節可能にしている。
これにより、取付誤差や経年変化による戸当たり本体２の受け部２１及び掬い上げ部２１ａの高さ位置の変化を簡易に調節することができるようにしている。
ここで、受け部２１及び掬い上げ部２１ａは、操作部２１ｂによって回転操作されるため、断面が円形の回転対称に形成するとともに、頭部にスプライン部２１ｃを形成し、このスプライン部２１ｃが戸当たり本体２に形成した回転規制部２ｂと弾性を以て嵌合することにより、非操作時に受け部２１及び掬い上げ部２１ａが昇降しないようにしている。
また、掬い上げ部２１ａは、ストッパ片１１の先端を確実に掬い上げることができるように、下端外周縁をナイフエッジ状に形成するようにしている。
なお、受け部２１を戸当たり本体２に高さ調節機構としては、本実施例において採用しているねじ機構２３のほか、ラチェット機構等を採用することができる。
【００１７】
ところで、本実施例においては、高さ調節機構を戸当たり本体２に配設するようにしたが、係止具本体１のストッパ片１１の先端の高さ位置を調節可能にする高さ調節機構を配設することもできる。
より具体的には、図２に示すように、係止具本体１のストッパ片１１を揺動軸１２を介して揺動可能に配設するとともに、ストッパ片１１の下面を凸状の板バネ部材１３で支持するようにし、板バネ部材１３の位置を移動させることによって、ストッパ片１１の先端の高さ位置を調節、より具体的には、板バネ部材１３の位置を図２（ｂ１）の位置から図２（ｂ２）の位置に移動させることによって、ストッパ片１１の先端の高さ位置が高くなるようにしている。
【００１８】
この戸当たりによれば、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにすることにより、扉を開く速度が極めて速い場合でも、扉を開く際に扉が設定された位置にきたときに、掬い上げ部２１ａによりストッパ片１１を床面より機械的に掬い上げることによって、戸当たり本体２がストッパ片１１の上をそのまま通過することを防止し、ストッパ片１１を確実に突出させて戸当たり本体２の受け部２１に当接させ、それ以上の開扉を阻止するようにすることができる。
また、従来の戸当たりのように戸当たり本体２に磁石が配設されていないため、戸当たり本体２に他の金属片が吸着されることがなく、扉の開閉操作によって床面に傷が付くという問題をなくすことができる。
【実施例２】
【００１９】
図３〜図４に、本発明の戸当たりの第２実施例を示す。
この戸当たりは、上記第１実施例の戸当たりと同様、床面に固定する、ストッパ片１１を揺動可能に配設した係止具本体１と、扉側に固定する、ストッパ片１１の受け部２１を設けた戸当たり本体２とからなり、扉を開く際に扉が設定された位置にきたときに、ストッパ片１１を床面より突出させて戸当たり本体２側に当接させ、それ以上の開扉を阻止するように構成するとともに、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにしている。
【００２０】
そして、ストッパ片１１に、係止部１１ａを形成するとともに、戸当たり本体２に、ストッパ片１１に形成した係止部１１ａに係合する係止片２２を可動に設けるようにしている。
本実施例において、係止部１１ａは、ストッパ片１１に形成した貫通孔で構成し、この係止部１１ａに、戸当たり本体２に摺動部２２ａを介して可動に設けた係止片２２を、外側カバーからなる操作部２２ｂを操作することによって挿入することで係合するようにしている。
これにより、係止片２２をストッパ片１１の係止部１１ａに係合することによって戸当たり本体２をストッパ片１１に固定することができ、扉の開扉状態を保持し、あおりを防止することができる。
【００２１】
本実施例において、扉を開く際に扉が設定された位置にきたときに、ストッパ片１１の先端を掬い上げて、床面より突出させて戸当たり本体２の受け部２１に当接させるように導く掬い上げ部２１ａは、受け部２１と共に戸当たり本体２に一体に形成するようにしている。
なお、戸当たり本体２を扉に取り付けるためのねじ孔２ａを上下方向に延びる長孔形状に形成することにより、戸当たり本体２の受け部２１及び掬い上げ部２１ａの高さ位置を簡易に調節することができるようにしている。
ここで、掬い上げ部２１ａは、ストッパ片１１の先端を確実に掬い上げることができるように、下端縁をナイフエッジ状に形成するようにしている。
【００２２】
なお、本実施例の戸当たりのその他の構成及び作用は、上記第１実施例の戸当たりと同様である。
【００２３】
以上、本発明の戸当たりについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２４】
本発明の戸当たりは、扉を開く際に扉が設定された位置にきたときに、ストッパ片を床面より確実に突出させて戸当たり本体側に当接させ、それ以上の開扉を阻止するようにすることができるとともに、戸当たり本体に金属片が吸着されることがないことから、種々の戸当たりの用途に好適に用いることができる。
【符号の説明】
【００２５】
１  係止具本体
１１  ストッパ片
１１ａ  係止部
１２  揺動軸
１３  高さ調節機構（板バネ部材）
２  戸当たり本体
２１  受け部
２１ａ  掬い上げ部
２２  係止片
２３  高さ調節機構（ねじ機構）
【図１】
2014152562.tif 000003
【図２】
2014152562.tif 000004
【図３】
2014152562.tif 000005
【図４】
2014152562.tif 000006
【手続補正書】
【提出日】平成25年5月13日(2013.5.13)
【手続補正１】
【補正対象書類名】明細書
【補正対象項目名】全文
【補正方法】変更
【補正の内容】
【発明の詳細な説明】
【技術分野】
【０００１】
本発明は、床面のバリアフリー化を図るため床面からの突出高さを可及的に低くし、かつフック掛けなどの面倒な操作をなくして確実に定位置で扉を停止させ、開扉状態を保持し、さらに、あおりを防止することができるようにした戸当たりに関するものである。
【背景技術】
【０００２】
この種の戸当たりとして、従来、扉側に固定し、磁石を配設した戸当たり本体と、床面に固定し、床面より突出するようにストッパ片を揺動可能に配設した係止具本体とからなり、扉を開く際に扉が設定された位置にきたときに、磁石の励磁吸着作用によりストッパ片を床面より突出させて戸当たり本体側に当接させ、それ以上の開扉を阻止するようにするとともに、ストッパ片に形成した係止部に戸当たり本体に設けた係止片を係合させることにより、開扉状態を保持し、あおりを防止することができるようにしたものが汎用されている。
【先行技術文献】
【特許文献】
【０００３】
【特許文献１】特許第３５５３８１８号公報
【特許文献２】特許第３９３９１６３号公報
【０００４】
ところで、上記従来の戸当たりは、戸当たり本体に配設した磁石の励磁吸着作用によりストッパ片を床面より突出させて戸当たり本体側に当接させるようにしているため、扉を開く速度が極めて速い場合には、ストッパ片が床面より突出する前に戸当たり本体がストッパ片の上を通過してしまい、戸当たりの所期の目的を達成できないという問題があった。
また、戸当たり本体に配設した磁石に他の金属片が吸着され、それを知らずに扉を開閉操作した場合に、床面に傷が付くという問題があった。
【発明の概要】
【発明が解決しようとする課題】
【０００５】
本発明は、上記従来の戸当たりの有する問題点に鑑み、扉を開く際に扉が設定された位置にきたときに、ストッパ片を床面より確実に突出させて戸当たり本体側に当接させ、それ以上の開扉を阻止するようにすることができるとともに、戸当たり本体に金属片が吸着されることがない戸当たりを提供することを目的とする。
【課題を解決するための手段】
【０００６】
上記目的を達成するため、本発明の戸当たりは、床面に固定する、ストッパ片を揺動可能に配設した係止具本体と、扉側に固定する、前記ストッパ片の受け部を設けた戸当たり本体とからなり、扉を開く際に扉が設定された位置にきたときに、ストッパ片を床面より突出させて戸当たり本体側に当接させ、それ以上の開扉を阻止するように構成した戸当たりにおいて、戸当たり本体に、扉を開く際に扉が設定された位置にきたときに、ストッパ片の先端を掬い上げて、床面より突出させて戸当たり本体の受け部に当接させるように導く掬い上げ部を設けたことを特徴とする。
【０００７】
この場合において、ストッパ片に、係止部を形成するとともに、戸当たり本体に、前記ストッパ片に形成した係止部に係合する係止片を可動に設けることができる。
【０００８】
また、床面に固定した係止具本体のストッパ片の先端の高さ位置及び／又は戸当たり本体の掬い上げ部の高さ位置を調節可能にする高さ調節機構を配設することができる。
【発明の効果】
【０００９】
本発明の戸当たりによれば、戸当たり本体に、扉を開く際に扉が設定された位置にきたときに、ストッパ片の先端を掬い上げて、床面より突出させて戸当たり本体の受け部に当接させるように導く掬い上げ部を設けるようにすることにより、扉を開く速度が極めて速い場合でも、扉を開く際に扉が設定された位置にきたときに、掬い上げ部によりストッパ片を床面より機械的に掬い上げることによって、戸当たり本体がストッパ片の上をそのまま通過することを防止し、ストッパ片を確実に突出させて戸当たり本体の受け部に当接させ、それ以上の開扉を阻止するようにすることができる。
また、従来の戸当たりのように戸当たり本体に磁石が配設されていないため、戸当たり本体に他の金属片が吸着されることがなく、扉の開閉操作によって床面に傷が付くという問題をなくすことができる。
【００１０】
また、ストッパ片に、係止部を形成するとともに、戸当たり本体に、前記ストッパ片に形成した係止部に係合する係止片を可動に設けることにより、係止片をストッパ片の係止部に係合することによって戸当たり本体をストッパ片に固定することができ、扉の開扉状態を保持し、あおりを防止することができる。
【００１１】
また、床面に固定した係止具本体のストッパ片の先端の高さ位置及び／又は戸当たり本体の掬い上げ部の高さ位置を調節可能にする高さ調節機構を配設することにより、取付誤差や経年変化によるストッパ片の先端の高さ位置や戸当たり本体の掬い上げ部の高さ位置の変化を簡易に調節して、扉を開く際に扉が設定された位置にきたときに、掬い上げ部によりストッパ片を床面より機械的に掬い上げることによって確実に突出させて戸当たり本体側に当接させ、それ以上の開扉を阻止するようにすることができる。
【図面の簡単な説明】
【００１２】
【図１】本発明の戸当たりの第１実施例を示す断面図である。
【図２】同ストッパ片の変形実施例を示し、（ａ）は平面図、（ｂ１）は側面図、（ｂ２）はストッパ片の先端の高さ位置を上げた状態を示す側面図である。
【図３】本発明の戸当たりの第２実施例を示し、（ａ１）は側面断面図、（ｂ１）は正面断面図、（ａ２）は係止片をストッパ片の係止部に係合した状態を示す側面断面図、（ｂ２）は同正面断面図である。
【図４】同戸当たり本体を示す分解図である。
【発明を実施するための形態】
【００１３】
以下、本発明の戸当たりの実施の形態を、図面に基づいて説明する。
【実施例１】
【００１４】
図１に、本発明の戸当たりの第１実施例を示す。
この戸当たりは、床面に固定する、ストッパ片１１を揺動可能に配設した係止具本体１と、扉側に固定する、ストッパ片１１の受け部２１を設けた戸当たり本体２とからなり、扉を開く際に扉が設定された位置にきたときに、ストッパ片１１を床面より突出させて戸当たり本体２側に当接させ、それ以上の開扉を阻止するように構成するとともに、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにしている。
【００１５】
そして、ストッパ片１１に、係止部１１ａを形成するとともに、戸当たり本体２に、ストッパ片１１に形成した係止部１１ａに係合する係止片２２を可動に設けるようにしている。
これにより、係止片２２をストッパ片１１の係止部１１ａに係合することによって戸当たり本体２をストッパ片１１に固定することができ、扉の開扉状態を保持し、あおりを防止することができる。
本実施例において、係止部１１ａは、ストッパ片１１に形成した貫通孔で構成し、この係止部１１ａに、戸当たり本体２に摺動部２２ａを介して可動に設けた係止片２２を、操作部２２ｂを操作することによって挿入することで係合するようにしている。
なお、係止部１１ａ及び係止片２２の形態は、これに限定されず、係合形態をとれる任意の形態を採用することができる。
【００１６】
本実施例において、扉を開く際に扉が設定された位置にきたときに、ストッパ片１１の先端を掬い上げて、床面より突出させて戸当たり本体２の受け部２１に当接させるように導く掬い上げ部２１ａは、受け部２１と一体に形成するとともに、受け部２１を戸当たり本体２に高さ調節機構としてのねじ機構２３を介して配設することによって、受け部２１及び掬い上げ部２１ａの高さ位置を調節可能にしている。
これにより、取付誤差や経年変化による戸当たり本体２の受け部２１及び掬い上げ部２１ａの高さ位置の変化を簡易に調節することができるようにしている。
ここで、受け部２１及び掬い上げ部２１ａは、操作部２１ｂによって回転操作されるため、断面が円形の回転対称に形成するとともに、頭部にスプライン部２１ｃを形成し、このスプライン部２１ｃが戸当たり本体２に形成した回転規制部２ｂと弾性を以て嵌合することにより、非操作時に受け部２１及び掬い上げ部２１ａが昇降しないようにしている。
また、掬い上げ部２１ａは、ストッパ片１１の先端を確実に掬い上げることができるように、下端外周縁をナイフエッジ状に形成するようにしている。
なお、受け部２１を戸当たり本体２に高さ調節機構としては、本実施例において採用しているねじ機構２３のほか、ラチェット機構等を採用することができる。
【００１７】
ところで、本実施例においては、高さ調節機構を戸当たり本体２に配設するようにしたが、係止具本体１のストッパ片１１の先端の高さ位置を調節可能にする高さ調節機構を配設することもできる。
より具体的には、図２に示すように、係止具本体１のストッパ片１１を揺動軸１２を介して揺動可能に配設するとともに、ストッパ片１１の下面を凸状の板バネ部材１３で支持するようにし、板バネ部材１３の位置を移動させることによって、ストッパ片１１の先端の高さ位置を調節、より具体的には、板バネ部材１３の位置を図２（ｂ１）の位置から図２（ｂ２）の位置に移動させることによって、ストッパ片１１の先端の高さ位置が高くなるようにしている。
【００１８】
この戸当たりによれば、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにすることにより、扉を開く速度が極めて速い場合でも、扉を開く際に扉が設定された位置にきたときに、掬い上げ部２１ａによりストッパ片１１を床面より機械的に掬い上げることによって、戸当たり本体２がストッパ片１１の上をそのまま通過することを防止し、ストッパ片１１を確実に突出させて戸当たり本体２の受け部２１に当接させ、それ以上の開扉を阻止するようにすることができる。
また、従来の戸当たりのように戸当たり本体２に磁石が配設されていないため、戸当たり本体２に他の金属片が吸着されることがなく、扉の開閉操作によって床面に傷が付くという問題をなくすことができる。
【実施例２】
【００１９】
図３〜図４に、本発明の戸当たりの第２実施例を示す。
この戸当たりは、上記第１実施例の戸当たりと同様、床面に固定する、ストッパ片１１を揺動可能に配設した係止具本体１と、扉側に固定する、ストッパ片１１の受け部２１を設けた戸当たり本体２とからなり、扉を開く際に扉が設定された位置にきたときに、ストッパ片１１を床面より突出させて戸当たり本体２側に当接させ、それ以上の開扉を阻止するように構成するとともに、戸当たり本体２に、扉を開く際に扉が設定された位置にきたときに、ストッパ片１１の先端を掬い上げて、床面より突出させて戸当たり本体２の受け部２１に当接させるように導く掬い上げ部２１ａを設けるようにしている。
【００２０】
そして、ストッパ片１１に、係止部１１ａを形成するとともに、戸当たり本体２に、ストッパ片１１に形成した係止部１１ａに係合する係止片２２を可動に設けるようにしている。
本実施例において、係止部１１ａは、ストッパ片１１に形成した貫通孔で構成し、この係止部１１ａに、戸当たり本体２に摺動部２２ａを介して可動に設けた係止片２２を、外側カバーからなる操作部２２ｂを操作することによって挿入することで係合するようにしている。
これにより、係止片２２をストッパ片１１の係止部１１ａに係合することによって戸当たり本体２をストッパ片１１に固定することができ、扉の開扉状態を保持し、あおりを防止することができる。
【００２１】
本実施例において、扉を開く際に扉が設定された位置にきたときに、ストッパ片１１の先端を掬い上げて、床面より突出させて戸当たり本体２の受け部２１に当接させるように導く掬い上げ部２１ａは、受け部２１と共に戸当たり本体２に一体に形成するようにしている。
なお、戸当たり本体２を扉に取り付けるためのねじ孔２ａを上下方向に延びる長孔形状に形成することにより、戸当たり本体２の受け部２１及び掬い上げ部２１ａの高さ位置を簡易に調節することができるようにしている。
ここで、掬い上げ部２１ａは、ストッパ片１１の先端を確実に掬い上げることができるように、下端縁をナイフエッジ状に形成するようにしている。
【００２２】
なお、本実施例の戸当たりのその他の構成及び作用は、上記第１実施例の戸当たりと同様である。
【００２３】
以上、本発明の戸当たりについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２４】
本発明の戸当たりは、扉を開く際に扉が設定された位置にきたときに、ストッパ片を床面より確実に突出させて戸当たり本体側に当接させ、それ以上の開扉を阻止するようにすることができるとともに、戸当たり本体に金属片が吸着されることがないことから、種々の戸当たりの用途に好適に用いることができる。
【符号の説明】
【００２５】
１  係止具本体
１１  ストッパ片
１１ａ  係止部
１２  揺動軸
１３  高さ調節機構（板バネ部材）
２  戸当たり本体
２１  受け部
２１ａ  掬い上げ部
２２  係止片
２３  高さ調節機構（ねじ機構）
【手続補正２】
【補正対象書類名】特許請求の範囲
【補正対象項目名】全文
【補正方法】変更
【補正の内容】
【特許請求の範囲】
【請求項１】
床面に固定する、ストッパ片を揺動可能に配設した係止具本体と、扉側に固定する、前記ストッパ片の受け部を設けた戸当たり本体とからなり、扉を開く際に扉が設定された位置にきたときに、ストッパ片を床面より突出させて戸当たり本体側に当接させ、それ以上の開扉を阻止するように構成した戸当たりにおいて、戸当たり本体に、扉を開く際に扉が設定された位置にきたときに、ストッパ片の先端を掬い上げて、床面より突出させて戸当たり本体の受け部に当接させるように導く、下端縁をナイフエッジ状に形成した掬い上げ部を設けたことを特徴とする戸当たり。
【請求項２】
ストッパ片に、係止部を形成するとともに、戸当たり本体に、前記ストッパ片に形成した係止部に係合する係止片を可動に設けたことを特徴とする請求項１記載の戸当たり。
【請求項３】
床面に固定した係止具本体のストッパ片の先端の高さ位置及び／又は戸当たり本体の掬い上げ部の高さ位置を調節可能にする高さ調節機構を配設したことを特徴とする請求項１又は２記載の戸当たり。